(57)【要約】【課題】  いたずら電話を受けた場合、相手に不快感を与えずに着信を無視することができる通信端末装置を提供することを目的とするものである。【解決手段】  留守録音手段を備えた通信端末装置において、応答メッセージを登録する応答メッセージ録音手段と、上記録音手段が録音した応答メッセージを再生する応答メッセージ再生手段と、発呼者の発信者電話番号を取得する発信者電話番号取得手段と、着信を拒否したい電話番号を予め登録する電話番号登録メモリと、上記発信者電話番号取得手段が取得した発信者電話番号と、上記電話番号登録メモリに登録されている電話番号とが一致した場合、上記応答メッセージ再生手段に、応答メッセージを再生させ、通常の録音動作に移行させたように見せかけた動作をし、発呼者メッセージを録音しない虚偽の留守番応答をする制御手段とを有する通信端末装置である。【選択図】  図１
2005354493.tif 000002
【特許請求の範囲】
【請求項１】
留守録音手段を備えた通信端末装置において、
応答メッセージを登録する応答メッセージ録音手段と；
上記録音手段が録音した応答メッセージを再生する応答メッセージ再生手段と；
発呼者の発信者電話番号を取得する発信者電話番号取得手段と；
着信を拒否したい電話番号を予め登録する電話番号登録メモリと；
上記発信者電話番号取得手段が取得した発信者電話番号と、上記電話番号登録メモリに登録されている電話番号とが一致した場合、上記応答メッセージ再生手段に、応答メッセージを再生させ、通常の録音動作に移行させたように見せかけた動作をし、発呼者メッセージを録音しない虚偽の留守番応答をする制御手段と；
を有することを特徴とする通信端末装置。
【請求項２】
請求項１において、
上記発信者電話番号を示す情報は、ＣＡＬＬＥＲ  ＩＤであることを特徴とする通信端末装置。
【請求項３】
請求項１または請求項２において、
留守番電話モードと通常の着信モードとを切り替える操作手段を有し、上記発信者電話番号取得手段が取得した発信者電話番号と、上記電話番号登録メモリに登録されている電話番号とが一致した場合、現在の着信モードに関わらず、上記虚偽の留守番応答をすることを特徴とする通信端末装置。
【請求項４】
請求項１または請求項２において、
着信履歴を表示する表示手段と、着信履歴を登録する着信履歴登録メモリとを有する通信端末であって、
上記発信者電話番号取得手段が取得した発信者電話番号と、上記着信履歴登録メモリに登録されている電話番号とが一致した場合、この一致した電話番号を、着信履歴に記憶しないことを特徴とする通信端末装置。
【請求項５】
請求項１または請求項２において、
通常の録音動作に移行させたように見せかけた動作をしている際は、ハンドセットのオフフック、キー操作を無視し、通話できないように制御することを特徴とする通信端末装置。
【請求項６】
留守録音手段を備えた通信端末装置の制御方法において、
予め録音されている応答メッセージを再生する応答メッセージ再生段階と；
発呼者の発信者電話番号を取得する発信者電話番号取得段階と；
着信を拒否したい電話番号を電話番号登録メモリに予め登録する電話番号登録段階と；
上記発信者電話番号取得段階で取得した発信者電話番号と、上記電話番号登録メモリに登録されている電話番号とが一致した場合、上記応答メッセージ再生段階で、応答メッセージを再生させ、通常の録音動作に移行させたように見せかけた動作をし、発呼者メッセージを録音しない虚偽の留守番応答をする制御段階と；
を有することを特徴とする通信端末装置の制御方法。
【請求項７】
予め録音されている応答メッセージを再生する応答メッセージ再生手順と；
発呼者の発信者電話番号を取得する発信者電話番号取得手順と；
着信を拒否したい電話番号を電話番号登録メモリに予め登録する電話番号登録手順と；
上記発信者電話番号取得手順で取得した発信者電話番号と、上記電話番号登録メモリに登録されている電話番号とが一致した場合、上記応答メッセージ再生手順で、応答メッセージを再生させ、通常の録音動作に移行させたように見せかけた動作をし、発呼者メッセージを録音しない虚偽の留守番応答をする制御手順と；
を通信端末装置に実行させるプログラム。
【発明の詳細な説明】
【技術分野】
【０００１】
本発明は、通信端末装置、その制御方法およびプログラムに関する。
【背景技術】
【０００２】
近年、発信者の電話番号を表示する信号（ＣＡＬＬＥＲ  ＩＤ信号）を受信者側に送信するような、いわゆる「発信者電話番号通知サービス」が提案され、一部の地域で実用化されている。この技術によって、受信者は、発信者を確認することができ、この呼び出しに応答するかどうかを決定することができる。
【０００３】
しかし、応答するかどうかを判断する場合、表示を確認する必要があり、その都度、表示を確認することは、受信者にとって非常に煩わしい。
【０００４】
また、従来のいたずら電話防止の撃退法として、予め録音しておいた応答専用のメッセージを送出したり、着信に応答した際にいたずら電話であると判明した場合は、利用者の所定のキー操作によって奇怪音を発生させることが実行されている。
【０００５】
発信者電話番号に応じて留守番電話の制御を切り換えるものが知られている。たとえば、１度留守番電話にメッセージを録音した相手から何度もかかってくれば、応答メッセージを別なものにするとか、２回目以降は要件メッセージを録音しないとかのように対応することが知られている（たとえば、特許文献１参照）。
【特許文献１】特開平９-３２６８５８号公報
【発明の開示】
【発明が解決しようとする課題】
【０００６】
しかし、予め録音した応答専用のメッセージを送出する方法や、着信に応答した際に、いたずら電話であると判明した場合、利用者の所定のキー操作によって奇怪音を発生させる方法は、発信者に余計な刺激を与え、かえって、何度もいたずらされる可能性があるという問題がある。
【０００７】
本発明は、いたずら電話を受けた場合、相手に不快感を与えずに着信を無視することができる通信端末装置、その制御方法およびプログラムを提供することを目的とするものである。
【課題を解決するための手段】
【０００８】
本発明は、留守録音手段を備えた通信端末装置において、応答メッセージを登録する応答メッセージ録音手段と、上記録音手段が録音した応答メッセージを再生する応答メッセージ再生手段と、発呼者の発信者電話番号を取得する発信者電話番号取得手段と、着信を拒否したい電話番号を予め登録する電話番号登録メモリと、上記発信者電話番号取得手段が取得した発信者電話番号と、上記電話番号登録メモリに登録されている電話番号とが一致した場合、上記応答メッセージ再生手段に、応答メッセージを再生させ、通常の録音動作に移行させたように見せかけた動作をし、発呼者メッセージを録音しない虚偽の留守番応答をする制御手段とを有する通信端末装置である。
【発明の効果】
【０００９】
本発明によれば、留守番電話モードか否かに関わらず、着信拒否したい番号からの着信に対して、強制的に着信し、留守番応答しているように見せかけ、ごく自然に終話させ、相手に着信拒否されているのかどうかが分からないように振舞うので、相手に不快感を与えずに着信を無視することができるという効果を奏する。
【発明を実施するための最良の形態】
【００１０】
発明を実施するための最良の形態は、次の実施例である。
【実施例１】
【００１１】
図１は、本発明の実施例１である通信端末装置１００の外観を示す斜視図である。
【００１２】
通信端末装置１００は、留守番電話モードか否かに関わらず、着信拒否したい番号からの着信に対して、強制的に着信し、留守番応答しているように見せかけ、ごく自然に終話させることによって、相手に着信拒否されているのかどうかも分からないように振舞う装置である。
【００１３】
通信端末装置１００は、留守番電話機能と相手情報検出機能とを有する通信端末装置に適用され、筐体を有し、筐体の上面には、ハンドセット１０１、表示器１０２、操作部１０３、留守モードボタン１０４等が設けられている。
【００１４】
表示器１０２は、通信端末装置１００の状態を表示し、ＣＡＬＬＥＲ  ＩＤによって送られた電話番号を表示する。操作部１０３は、複数のキーによって構成され、電話番号や各種設定情報を入力し、動作を指示する。着信を拒否したい電話番号については、操作部１０３を介して、後述のＲＡＭ２０１に登録される。
【００１５】
留守モードボタン１０４は、通信装置１００を留守番モードにセットするために押下されるものであり、留守にする際等に、押下される。留守モードに設定されている場合、相手からの着信に対して、応答メッセージを送出し、相手のメッセージを録音し、留守モードでない場合は、応答せずにベル音を送出し続ける。
【００１６】
図２は、通信端末装置１００の内部構成を示すブロック図である。
【００１７】
通信端末装置１００は、電話部２００と、揮発性メモリ（ＲＡＭ）２０１と、ＲＯＭ２０２と、フラッシュメモリ２０３と、モデム２０４と、CＰＵ２０５と、バス２０６とを有する。
【００１８】
電話部２００は、電話の発着呼を制御する。揮発性メモリ（ＲＡＭ）２０１は、プログラムを記憶し、また、読み取った画像データ等を記憶するメモリである。ＲＯＭ２０２は、後述する制御プログラムを格納している。
【００１９】
フラッシュメモリ２０３は、留守番電話メッセージ用のフラッシュメモリである。モデム２０４は、ＣＡＬＬＥＲ  ＩＤのデータを受信・解析し、留守番電話メッセージの音声を出力し、電話部２００に接続されている。
【００２０】
図３は、通信端末装置１００において、何らかの着信があった場合における通常の受信モードでの処理手順を示すフローチャートである。
【００２１】
まず、Ｓ３０１では、電話部２００によって、相手からの着信を確認する。次に、ＣＡＬＬＥＲ  ＩＤのデータが送られているかどうかを、モデム２０４を介して解析する（Ｓ３０２）。ＣＡＬＬＥＲ  ＩＤのデータが送られている場合（Ｓ３０３）、受信したデータが着信を拒否する番号であるかどうかを、ＲＡＭ２０１内のデータと比較することによって判断する（Ｓ３０４、Ｓ３０５）。
【００２２】
着信拒否する番号である場合（Ｓ３０６）、通常の受信モードであっても、留守番電話応答をし、応答メッセージを、モデム２０４から、送出する（Ｓ３０７）。そして、留守番メッセージ録音開始トーンを送出するが、この際、実際には録音せず、特定の時間だけ何もせずに、ダミー録音する（録音した振りをする）（Ｓ３０８）。つまり、通常の録音動作に移行させたように見せかけた動作をし、発呼者メッセージを録音しない虚偽の留守番応答をする。このダミー録音の終了後に、または、特定時間が経過したら、回線を解放し、処理を終了する（Ｓ３１０）。
【００２３】
また、上記ダミー録音中は、ハンドセット１０１のオフフックやキー押下によるフックを無視し、電話には出られないように制御する。
【００２４】
また、Ｓ３０３の判断において、ＣＡＬＬＥＲ  ＩＤデータ無しが判断された場合、Ｓ３０４の判断において、着信拒否番号が登録されていないと判断された場合、または、Ｓ３０６の判断において、着信相手が拒否相手ではないと判断された場合には、通常通り電話呼出を行い（Ｓ３１１）、ハンドセット１０１がフックされれば、通常通り、通話状態とする（Ｓ３１２）。通話が終了すると（Ｓ３１４）、着信履歴として、ＲＡＭ２０１に着信番号を保存し（Ｓ３１５）、回線を解放し（Ｓ３１０）、処理を終了する。
【００２５】
図４は、通信端末装置１００において、何らかの着信があった場合に、留守番電話モードで処理する手順を示すフローチャートである。
【００２６】
まず、Ｓ４０１では、電話部２００によって、相手からの着信を確認する。次に、ＣＡＬＬＥＲ  ＩＤのデータが送られているかどうかを、モデム２０４を介して解析する（Ｓ４０２）。ＣＡＬＬＥＲ  ＩＤのデータが送られている場合、受信したデータが着信を拒否する番号であるかどうかを、ＲＡＭ２０１内のデータと比較することによって判断する（Ｓ４０３、Ｓ４０４）。着信拒否する番号であれば（Ｓ４０５）、留守番電話応答し、モデム２０４から応答メッセージを送出する（Ｓ４０６）。
【００２７】
次に、留守番メッセージ録音開始トーンを送出するが、この際、実際には録音せずに、特定の時間だけ、何もせずに、ダミー録音する（録音した振りをする）（Ｓ４０７）。つまり、通常の録音動作に移行させたように見せかけた動作をし、発呼者メッセージを録音しない虚偽の留守番応答をする。このダミー録音が終了した後に、または、所定の時間が経過した場合、回線を解放し、処理を終了する（Ｓ４０８、Ｓ４０９）。
【００２８】
また、上記ダミー録音中は、ハンドセット１０１のオフフックや、キー押下によるフックを無視し、電話に出られないように制御する。
【００２９】
また、Ｓ４０２の判断において、ＣＡＬＬＥＲ  ＩＤデータ無しと判断された場合、Ｓ４０３において、着信拒否番号が登録されていないと判断された場合、Ｓ４０５において、着信相手が拒否相手ではないと判断された場合には、通常通り留守番電話応答を行い（Ｓ４１０）、メッセージ録音を開始する（Ｓ４１１）。
【００３０】
メッセージは、フラッシュメモリ２０３に保存され、録音が終了した際に（Ｓ４１２）、着信履歴として着信番号をＲＡＭ２０１に保存し（Ｓ４１３）、回線を解放し（Ｓ４０９）、処理を終了する。
【００３１】
また、上記実施例をプログラムの発明として把握することができる。つまり、上記実施例は、予め録音されている応答メッセージを再生する応答メッセージ再生手順と、発呼者の発信者電話番号を取得する発信者電話番号取得手順と、着信を拒否したい電話番号を電話番号登録メモリに予め登録する電話番号登録手順と、上記発信者電話番号取得手順で取得した発信者電話番号と、上記電話番号登録メモリに登録されている電話番号とが一致した場合、上記応答メッセージ再生手順で、応答メッセージを再生させ、通常の録音動作に移行させたように見せかけた動作をし、発呼者メッセージを録音しない虚偽の留守番応答をする制御手順とを留守番電話装置に実行させるプログラムの例である。
【図面の簡単な説明】
【００３２】
【図１】本発明の実施例１である通信端末装置１００の外観を示す斜視図である。
【図２】通信端末装置１００の内部構成を示すブロック図である。
【図３】通信端末装置１００において、何らかの着信があった場合における通常の受信モードでの処理手順を示すフローチャートである。
【図４】通信端末装置１００において、何らかの着信があった場合に、留守番電話モードで処理する手順を示すフローチャートである。
【符号の説明】
【００３３】
１００…通信端末装置、
１０１…ハンドセット、
１０２…表示器、
１０３…操作部、
１０４…留守モードボタン、
２００…電話部、
２０１…ＲＡＭ、
２０３…フラッシュメモリ。
【図１】
2005354493.tif 000003
【図２】
2005354493.tif 000004
【図３】
2005354493.tif 000005
【図４】
2005354493.tif 000006